(57)【要約】【課題】情報記憶媒体を介して、データを受け取る側に対し確実に復号し得るデータ形式でデータを渡し得るようにする。【解決手段】端末にメモリカード２が装着されると、端末に記憶されている端末により復号可能なデータ形式を示す機能情報を、メモリカード２に書き込み、このメモリカード２がデータ記憶装置３に装着されると、データ記憶装置３がメモリカード２に書き込まれている機能情報に対応するデータ形式で、メモリカード２にデータを書き込むようにしたことにより、データ記憶装置３が、端末により復号可能なデータ形式を特定して、端末により復号可能なデータ形式でメモリカード２にデータを書き込むことができ、かくしてメモリカード２を介して、データを受け取る側に対し確実に復号し得るデータ形式でデータを渡すことができる。【選択図】図１
2007334654.tif 000002
【特許請求の範囲】
【請求項１】
情報記憶媒体にデータを書き込む情報処理装置と、当該情報処理装置によって上記情報記憶媒体に書き込まれたデータを読み出す端末とを有するデータ受け渡しシステムであって、
上記端末は、
上記情報記憶媒体を装着する第１の装着手段と、
上記第１の装着手段に装着された上記情報記憶媒体にデータを書き込む第１の書込手段と、
上記第１の装着手段に装着された上記情報記憶媒体に書き込まれたデータを読み出す第１の読出手段と、
上記第１の読出手段により読み出されたデータを復号する復号手段と、
少なくとも上記復号手段により復号可能なデータ形式を示す機能情報を記憶する記憶手段と、
上記第１の書込手段が上記情報記憶媒体に対して上記記憶手段に記憶された機能情報を書き込むように制御する第１の制御手段と
を具え、
上記情報処理装置は、
上記情報記憶媒体を装着する第２の装着手段と、
上記第２の装着手段に装着された上記情報記憶媒体にデータを書き込む第２の書込手段と、
上記第２の装着手段に装着された上記情報記憶媒体に書き込まれた上記機能情報を読み出す第２の読出手段と、
上記情報記憶媒体へのデータ書込要求を検出すると、上記第２の書き込み手段が上記第２の読出手段により読み出された上記機能情報に示されるデータ形式で上記情報記憶媒体にデータを書き込むように制御する第２の制御手段と
を具える
ことを特徴とするデータ受け渡しシステム。
【請求項２】
情報記憶媒体に書き込まれたデータを読み出すデータ読出装置であって、
上記情報記憶媒体を装着する装着手段と、
上記装着手段に装着された上記情報記憶媒体にデータを書き込む書込手段と、
上記装着手段に装着された上記情報記憶媒体に書き込まれたデータを読み出す読出手段と、
上記読出手段により読み出されたデータを復号する復号手段と、
少なくとも上記復号手段により復号可能なデータ形式を示す機能情報を記憶する記憶手段と、
上記書込手段が上記情報記憶媒体に対して上記記憶手段に記憶された機能情報を書き込むように制御する制御手段と
を具える
ことを特徴とするデータ読出装置。
【請求項３】
上記装着手段に上記情報記憶媒体が装着されたことを検出する検出手段を具え、
上記制御手段は、上記検出手段が上記装着手段に上記情報記憶媒体が装着されたことを検出すると、上記書込手段が上記情報記憶媒体に対して上記記憶手段に記憶された機能情報を書き込むように制御する
ことを特徴とする請求項２に記載のデータ読出装置。
【請求項４】
上記機能情報には、上記データ読出装置に対応するモデルネーム、上記データ読出装置に対応するニックネーム、及び上記復号手段により復号可能な符号化方式のいずれかが示される
ことを特徴とする請求項２に記載のデータ読出装置。
【請求項５】
上記制御手段は、上記書込手段が上記情報記憶媒体に既に書き込まれている機能情報に対して上記記憶手段に記憶された機能情報を上書きするように制御する
ことを特徴とする請求項２に記載のデータ読出装置。
【請求項６】
上記制御手段は、上記書込手段が上記情報記憶媒体に既に書き込まれている機能情報とは別のファイルとして上記記憶手段に記憶された機能情報を上記情報記憶媒体に書き込むように制御する
ことを特徴とする請求項２に記載のデータ読出装置。
【請求項７】
上記制御手段は、上記情報記憶媒体に既に書き込まれている機能情報が所定数に到達したとき、上記書込手段が当該既に書き込まれている機能情報のうちの最も古い機能情報に対して上記記憶手段に記憶された機能情報を上書きするように制御する
ことを特徴とする請求項６に記載のデータ読出装置。
【請求項８】
上記制御手段は、上記情報記憶媒体の空き容量に応じて、上記書込手段が当該情報記憶媒体に既に書き込まれている機能情報のうちの最も古い機能情報に対して上記記憶手段に記憶された機能情報を上書きするように制御する
ことを特徴とする請求項６に記載のデータ読出装置。
【請求項９】
上記制御手段は、上記情報記憶媒体に、上記データ読出装置に対応する機能情報が既に書き込まれているときには、上記書込手段が当該既に書き込まれている機能情報の記録日時を更新するように制御する
ことを特徴とする請求項６に記載のデータ読出装置。
【請求項１０】
情報記憶媒体にデータを書き込むデータ書込装置であって、
上記情報記憶媒体を装着する装着手段と、
上記装着手段に装着された上記情報記憶媒体にデータを書き込む書込手段と、
上記装着手段に装着された上記情報記憶媒体に書き込まれた、当該情報記憶媒体に書き込まれたデータを読み出すデータ読出装置により復号可能なデータ形式を示す機能情報を読み出す読出手段と、
上記情報記憶媒体へのデータ書込要求を検出すると、上記書込手段が上記読出手段により読み出された上記機能情報に示されるデータ形式で上記情報記憶媒体にデータを書き込むように制御する制御手段と
を具えることを特徴とするデータ書込装置。
【請求項１１】
上記制御手段は、上記情報記憶媒体に複数の機能情報が書き込まれているとき、当該複数の機能情報のそれぞれの記録日時に応じて一の機能情報を特定し、上記書込手段が当該一の機能情報に対応するデータ形式でデータを書き込むように制御する
ことを特徴とする請求項１０に記載のデータ書込装置。
【請求項１２】
上記制御手段は、上記情報記憶媒体に複数の機能情報が書き込まれているとき、当該複数の機能情報のそれぞれを識別する複数の識別情報をユーザに告知するため、当該複数の識別情報を表示部に出力するように制御し、上記書込手段が当該複数の識別情報からユーザに選択された識別情報により識別される機能情報に対応するデータ形式でデータを書き込むように制御する
ことを特徴とする請求項１０に記載のデータ書込装置。
【請求項１３】
上記制御手段は、上記情報記憶媒体に書き込まれた複数の機能情報のうちの最新の機能情報を識別する識別情報が主画面に配され、過去の機能情報を識別する識別情報が副画面に配されるようなユーザインタフェースを上記表示部に出力する
ことを特徴とする請求項１２に記載のデータ書込装置。
【請求項１４】
上記制御手段は、上記情報記憶媒体に複数の機能情報が書き込まれているとき、上記書込手段が当該複数の機能情報のうちの最新の機能情報以外の機能情報を上記情報記憶媒体から消去するように制御する
ことを特徴とする請求項１０に記載のデータ書込装置。
【請求項１５】
上記制御手段は、上記情報記憶媒体に複数の機能情報が書き込まれているとき、上記書込手段が当該複数の機能情報に示される複数のデータ形式で上記データを書き込むように制御する
ことを特徴とする請求項１０に記載のデータ書込装置。
【請求項１６】
上記制御手段は、上記情報記憶媒体に複数の機能情報が書き込まれているとき、上記書込手段が当該複数の機能情報のそれぞれに共通して示されるデータ形式で上記データを書き込むように制御する
ことを特徴とする請求項１０に記載のデータ書込装置。
【請求項１７】
データを所定のデータ形式に変換する符号化手段と、
データ記憶手段と
を具え、
上記制御手段は、上記情報記憶媒体へのデータ書き込み要求を検出すると、上記符号化手段が上記データを上記読出手段により読み出された上記機能情報に示されるデータ形式に変換し、上記書込手段が当該変換されたデータを上記情報記憶媒体に書き込むと共に上記データ記憶手段に書き込むように制御する
ことを特徴とする請求項１０に記載のデータ書込装置。
【請求項１８】
上記機能情報を記憶する機能情報記憶手段を具え、
上記制御手段は、上記読出手段が上記情報記憶媒体に書き込まれた機能情報を読み出すように制御すると共に、上記書込手段が上記読出手段により読み出された機能情報を上記機能情報記憶手段に書き込むように制御し、上記情報記憶媒体へのデータ書き込み要求を検出すると、上記書込手段が上記機能情報記憶手段に書き込まれた上記機能情報に示されるデータ形式でデータを書き込むように制御する
ことを特徴とする請求項１０に記載のデータ書込装置。
【請求項１９】
上記制御手段は、上記読出手段が上記情報記憶媒体に書き込まれたデータを読み出すように制御し、当該読出手段により読み出されたデータより上記機能情報を推定し、上記書込手段が当該推定した機能情報を上記機能情報記憶手段に書き込むように制御する
ことを特徴とする請求項１８に記載のデータ書込装置。
【請求項２０】
情報記憶媒体に書き込まれたデータを読み出すデータ読出装置が、当該データ読出装置の機能を、当該情報記憶媒体にデータを書き込むデータ書込装置に対して通知する機能通知方法であって、
装着された上記情報記憶媒体に対して、少なくとも当該情報記憶媒体から読み出したデータを復号する復号手段により復号可能なデータ形式を示す機能情報を書き込む
ことを特徴とする機能通知方法。
【請求項２１】
情報記憶媒体にデータを書き込むデータ書込方法であって、
上記情報記憶媒体に書き込まれた、当該情報記憶媒体に書き込まれたデータを読み出すデータ読出装置により復号可能なデータ形式を示す機能情報を読み出し、
上記情報記憶媒体へのデータ書込要求を検出すると、上記読み出した機能情報に示されるデータ形式で上記情報記憶媒体にデータを書き込む
こと特徴とするデータ書込方法。
【請求項２２】
コンピュータに対して、
装着された情報記憶媒体に、少なくとも当該情報記憶媒体から読み出したデータを復号する復号手段により復号可能なデータ形式を示す機能情報を、当該情報記憶媒体にデータを書き込むデータ書込装置に対して通知するために書き込む機能情報書込ステップ
を実行させることを特徴とする機能通知プログラム。
【請求項２３】
コンピュータに対して、
装着された情報記憶媒体に書き込まれた、当該情報記憶媒体に書き込まれたデータを読み出すデータ読出装置により復号可能なデータ形式を示す機能情報を読み出す機能情報読出ステップと、
上記情報記憶媒体へのデータ書込要求を検出したときに、上記機能情報読出ステップで読み出した機能情報に示されるデータ形式で上記情報記憶媒体にデータを書き込むデータ書込ステップと
を実行させることを特徴とするデータ書込プログラム。
【発明の詳細な説明】
【技術分野】
【０００１】
本発明はデータ受け渡しシステム、データ読出装置、データ書込装置、機能通知方法、データ書込方法、機能通知プログラム、データ書込プログラムに関し、例えば、情報記憶媒体を介してデータを受け渡すデータ受け渡しシステムに適用して好適なものである。
【背景技術】
【０００２】
従来、ネットワーク接続された複数の端末に対して情報処理装置（例えばサーバ）からデータを配信する配信システムがある。また、この種の配信システムとしては、端末で復号可能なデータ形式を端末の機能情報として各端末から情報処理装置に送信することで、情報処理装置が各端末で復号可能なデータ形式を特定して、データを各端末で復号可能なデータ形式で配信し得るようになされたものがある（例えば、特許文献１参照）。
【０００３】
一方で、このようなネットワークを介して情報処理装置及び各端末間でデータを受け渡すシステムとは別に、複数の端末に装着可能な情報記憶媒体（例えばメモリカード）に対して、情報処理装置（例えばパーソナルコンピュータ）がデータを書き込み、その後、この情報記憶媒体を端末に装着することで、情報記憶媒体を介して情報処理装置及び各端末間でデータを受け渡すシステムがある。
【特許文献１】特開２００５−７０９２４公報
【発明の開示】
【発明が解決しようとする課題】
【０００４】
ところで、上述したような情報記憶媒体を介して情報処理装置及び各端末間でデータを受け渡す従来システムの場合、情報処理装置と端末とが接続されていないので、端末の機能情報を情報処理装置に送信することができず、結果として情報処理装置が各端末で復号可能なデータ形式を特定することができなかった。
【０００５】
このため、このような従来システムでは、例えば、端末で復号可能なデータ形式をユーザ自身が情報処理装置に対して指定しなければならず、この指定を誤った場合、情報記憶媒体に書き込んだデータが端末で復号できなくなる状況が起こり得るという問題があった。
【０００６】
本発明は以上の点を考慮してなされたもので、情報記憶媒体を介して、データを受け取る側に対し確実に復号し得るデータ形式でデータを渡すことのできるデータ受け渡しシステム、データ読出装置、データ書込装置、機能通知方法、データ書込方法、機能通知プログラム、データ書込プログラムを提案しようとするものである。
【課題を解決するための手段】
【０００７】
かかる課題を解決するため本発明においては、端末に情報記憶媒体が装着されると、端末に記憶されている端末で復号可能なデータ形式を示す機能情報を、情報記憶媒体に書き込み、当該機能情報が書き込まれた情報記憶媒体が情報処理装置に装着されると、情報処理装置が情報記憶媒体に記録された機能情報に示されるデータ形式で、情報記憶媒体にデータを書き込むようにした。
【０００８】
こうすることにより、情報記憶媒体を介して端末にデータを渡す情報処理装置が、端末により復号可能なデータ形式を自動で特定して、端末により復号可能なデータ形式で情報記憶媒体にデータを書き込むことができる。
【発明の効果】
【０００９】
本発明によれば、端末に情報記憶媒体が装着されると、端末に記憶されている端末で復号可能なデータ形式を示す機能情報を、情報記憶媒体に書き込み、当該機能情報が書き込まれた情報記憶媒体が情報処理装置に装着されると、情報処理装置が情報記憶媒体に記録された機能情報に示されるデータ形式で、情報記憶媒体にデータを書き込むようにしたことにより、情報記憶媒体を介して端末にデータを渡す情報処理装置が、端末により復号可能なデータ形式を自動で特定して、端末により復号可能なデータ形式で情報記憶媒体にデータを書き込むことができ、かくして、情報記憶媒体を介して、データを受け取る側に対し確実に復号し得るデータ形式でデータを渡すことのできるデータ受け渡しシステム、データ読出装置、データ書込装置、機能通知方法、データ書込方法、機能通知プログラム、データ書込プログラムを実現できる。
【発明を実施するための最良の形態】
【００１０】
以下図面について、本発明の実施の形態を詳述する。
【００１１】
（１）第１の実施の形態
（１−１）データ受け渡しシステムの全体構成
図１において、１は全体として、データ受け渡しシステムを示し、各種データ（例えばオーディオデータやビデオデータ）を記憶すると共にメモリカード２の装着部を有するデータ記憶装置３と、オーディオデータの再生機能を持つと共にメモリカード２の装着部を有する端末（以下、この端末をオーディオプレイヤとも呼ぶ）４と、ビデオデータの再生機能を持つと共にメモリカード２の装着部を有する端末（以下、この端末をビデオプレイヤとも呼ぶ）５とで構成される。
【００１２】
そしてこのデータ受け渡しシステム１では、データ記憶装置３が自身に装着されたメモリカード２に対してオーディオデータを書き込み、その後、このメモリカード２がデータ記憶装置３から取り出されてオーディオプレイヤ４に装着されることで、データ記憶装置３及びオーディオプレイヤ４間でメモリカード２を介してオーディオデータの受け渡しが行われ、また一方で、データ記憶装置３が自身に装着されたメモリカード２に対してビデオデータを書き込み、その後、このメモリカード２がデータ記憶装置３から取り出されてビデオプレイヤ５に装着されることで、データ記憶装置３及びビデオプレイヤ５間でメモリカード２を介してビデオデータの受け渡しが行われるようになされている。
【００１３】
なお、データ記憶装置３に記憶されているオーディオデータやビデオデータのそれぞれは、例えば、所定の符号化方式（コーデック）で符号化されているものとし、また関連情報（タイトル、再生時間、ジャンルなど）及び属性情報（コーデック、ビットレートなど）が付加されているものとする。
【００１４】
くわえて、このデータ受け渡しシステム１のオーディオプレイヤ４及びビデオプレイヤ５のそれぞれは、自身の再生機能により復号可能なデータ形式（すなわちコーデック）を示す機能情報を保持しており、メモリカード２が装着された際に、この機能情報を、装着されたメモリカード２に書き込むようにもなされている。一方で、データ記憶装置３は、機能情報が書き込まれているメモリカード２が装着されると、このメモリカード２に書き込まれている機能情報に示されるデータ形式で、各種データをメモリカード２に書き込むようにもなされている。
【００１５】
これにより、このデータ受け渡しシステム１では、例えば、データを受け取る側のオーディオプレイヤ４にメモリカード２を装着させて、オーディオプレイヤ４の機能情報をこのメモリカード２に書き込ませてから、このメモリカード２を、データを渡す側のデータ記憶装置３に装着させるだけで、データ記憶装置３が、このメモリカード２に書き込まれている機能情報を基にデータを渡す相手となるオーディオプレイヤ４により復号可能なデータ形式を特定して、この特定したデータ形式でメモリカード２にオーディオデータを書き込むことができるようになされている。
【００１６】
（１−２）データ記憶装置３、オーディオプレイヤ４及びビデオプレイヤ５の回路構成
次に、データ記憶装置３、オーディオプレイヤ４及びビデオプレイヤ５の回路構成を説明する。まず、オーディオプレイヤ４の回路構成を説明する。図２に示すように、オーディオプレイヤ４は、メモリカード２を装着する装着部１０を有しており、制御部１１が、図示しない内蔵記憶部から読み出したプログラムにしたがって全体を統括制御すると共に各種処理を実行するようになされている。
【００１７】
すなわちオーディオプレイヤ４の制御部１１は、カード検出部１２を介して、装着部１０にメモリカード２が装着されたことを認識すると、メモリコントローラ１３を制御して、オーディオプレイヤ４の機能情報が記憶されている機能情報メモリ１４から機能情報を読み出してメモリカード２に書き込む。ちなみに、カード検出部１２は、例えば、装着部１０に装着されたメモリカード２と電気的に接続する端子（図示せず）の電圧レベルの変動を検知することで、メモリカード２が装着されたことを検出するようになされている。
【００１８】
また、制御部１１は、操作部１５を介して、メモリカード２に記憶されているオーディオデータを再生する操作がユーザにより行われたことを認識すると、メモリコントローラ１３を制御して、メモリカード２からオーディオデータを読み出してオーディオ復号部１６に送る。
【００１９】
オーディオ復号部１６は、制御部１１の制御に基づき、メモリコントローラ１３を介して送られてきたオーディオデータに対して、このオーディオデータのオーディオコーデックに応じた復号処理を施すことにより、オーディオ信号を得、このオーディオ信号をオーディオ出力部１７に送る。この結果、オーディオ信号に基づく音声が、オーディオ出力部１７を介して出力される。
【００２０】
ここで、このオーディオ復号部１６で復号可能なオーディオコーデックが、オーディオプレイヤ４で復号可能なデータ形式であり、オーディオプレイヤ４の機能情報には、主として、このオーディオ復号部１６で復号可能なオーディオコーデックが記されている。
【００２１】
実際上、このオーディオプレイヤ４の機能情報は、ＸＭＬ（eXtensible Markup Language）形式の文書ファイルである機能情報ファイル（例えば、capability.xml）として、メモリカード２に書き込まれるようになされ、図３に示すように、１行目のＸＭＬ文書の宣言文（<?xml version=”1.0” encoding=”***”?>）と、その後につづくＸＭＬ文書の本体部分（開始タグ<DEVICE>と終了タグ</DEVICE>とに囲まれた部分）とで構成される。
【００２２】
さらに本体部分は、ＸＭＬ文書のタグが定義される定義部Ｘ１と、オーディオプレイヤ４の識別情報が記される識別部Ｘ２と、メモリカード２がオーディオプレイヤ４に装着された日時が記される時刻部Ｘ３と、オーディオ復号部１６で復号可能なオーディオコーデックが記されるデータ形式部Ｘ４とに分けられる。
【００２３】
このうち定義部Ｘ１には、本体部分のタグを定義した定義情報のバージョン（version=”1.0”）とこの定義情報の参照先を示すアドレス（xmlns=”http://***.**/***/**”）とが記される。
【００２４】
識別部Ｘ２には、開始タグ<MODELNAME>と終了タグ</MODELNAME>との間（つまり「MODELNAME」タグの中）に、オーディオプレイヤ４の型番（モデルネームとも呼び、例えば、「AP-4**」）が記されると共に、「NICKNAME」タグの中にオーディオプレイヤ４のニックネーム（例えば、「MY AUDIO PLAYER」）が記される。このうちニックネームについては、ユーザが設定可能な情報であり、これら型番とニックネームとを組み合わせた情報が、オーディオプレイヤ４の識別情報、つまり端末識別情報となる。
【００２５】
時刻部Ｘ３には、「INSERTEDDATE」タグの中に、メモリカード２がオーディオプレイヤ４に装着された日時（例えば、「2005-01-01TO09:39:21Z」）が記される。ちなみに、この時刻部Ｘ３には、年月日及び時分秒でなる日時が記され、「TO」より前の例えば「2005-01-01」が年月日、「TO」と「Z」の間の例えば「09:39:21」が時分秒を表すようになされている。また、この日時は、機能情報ファイルがメモリカード２に書き込まれる日時とほぼ同時刻となるため、データ受け渡しシステム１では、時刻部Ｘ３に記される日時を、この機能情報ファイルの記録日時として扱う。
【００２６】
データ形式部Ｘ４には、「CAPABILITY」タグの中に、オーディオ復号部１６で復号可能なオーディオコーデックを示す「AUDIOCODEC」タグが記述される。この「AUDIOCODEC」タグは、復号可能なオーディオコーデックの種類毎に記述され、各「AUDIOCODEC」タグの中には、オーディオコーデックの種類が記される１個の「TITLE」タグと、オーディオコーデックのビットレートが記される１個以上の「BITRATE」タグとが記述される。
【００２７】
実際上、図３は、このデータ形式部Ｘ４に、２個の「AUDIOCODEC」タグが記述された例であり、一方の「AUDIOCODEC」タグには、「TITLE」タグに「ATRAC（Adaptive TRansform Acoustic Coding）X」が記されると共に２個の「BITRATE」タグのうちの一方に「128000」他方に「64000」が記され、他方の「AUDIOCODEC」タグには、「TITLE」タグに「MP3（MPEG Audio Layer-3）」が記されると共に２個の「BITRATE」タグのうちの一方に「128000」他方に「256000」が記されている。
【００２８】
つまり、この場合のデータ形式部Ｘ４には、１２８ｋｂｐｓ及び６４ｋｂｐｓのＡＴＲＡＣＸと、２５６ｋｂｐｓ及び１２８ｋｂｐｓのＭＰ３とが、オーディオ復号部１６で復号可能なオーディオコーデックとして示されている。
【００２９】
くわえて、このデータ形式部Ｘ４には、「CAPABILITY」タグの中に、オーディオプレイヤ４で認識可能なプレイリスト（オーディオデータの再生順序を示すリスト）のフォーマットを示す「PLAYLISTFORMAT」タグも記述される。この「PLAYLISTFORMAT」タグの中には、「TITLE」タグに、オーディオプレイヤ４で復号可能（つまり認識可能）なプレイリストのフォーマット（例えば、「M3U」）が記される。
【００３０】
このように、オーディオプレイヤ４の機能情報ファイルには、オーディオ復号部１６で復号可能なオーディオコーデックにくわえて、オーディオプレイヤ４の端末識別情報と、機能情報ファイルの記録日時とが示されている。
【００３１】
ちなみに、オーディオ復号部１６で復号可能なオーディオコーデック、及びオーディオプレイヤ４の端末識別情報は、予めオーディオプレイヤ４の機能情報メモリ１４に書き込まれている機能情報に示された情報である。つまり、オーディオプレイヤ４は、メモリカード２が装着されると、機能情報メモリ１４から読み出した機能情報にこのときの日時を追記し、機能情報ファイルとしてメモリカード２に書き込むようになされている。
【００３２】
また、オーディオプレイヤ４は、以前にオーディオプレイヤ４またはビデオプレイヤ５に装着されるなどしてメモリカード２に既に機能情報ファイルが書き込まれていた場合、既存の機能情報ファイルに対して、新たな機能情報ファイルを上書きするようになされている。
【００３３】
次に、ビデオプレイヤ５の回路構成を説明する。図４に示すように、ビデオプレイヤ５は、メモリカード２を装着する装着部２０を有しており、制御部２１が、図示しない内蔵記憶部から読み出したプログラムにしたがって全体を統括制御すると共に各種処理を実行するようになされている。
【００３４】
すなわちビデオプレイヤ５の制御部２１は、カード検出部２２を介して、装着部２０にメモリカード２が装着されたことを認識すると、メモリコントローラ２３を制御して、ビデオプレイヤ５の機能情報が記憶されている機能情報メモリ２４から機能情報を読み出してメモリカード２に書き込む。
【００３５】
また、制御部２１は、操作部２５を介して、メモリカード２に記憶されているビデオデータを再生する操作がユーザにより行われたことを認識すると、メモリコントローラ２３を制御して、メモリカード２からビデオデータを読み出してビデオ復号部２６に送る。
【００３６】
ビデオ復号部２６は、制御部２１の制御に基づき、メモリコントローラ２３を介して送られてきたビデオデータに対して、このビデオデータのビデオコーデックに応じた復号処理を施すことにより、ビデオ信号を得、このビデオ信号をビデオ出力部２７に送る。この結果、ビデオ信号に基づく映像が、ビデオ出力部２７を介して出力される。
【００３７】
ここで、このビデオ復号部２６で復号可能なビデオコーデックが、ビデオプレイヤ５で復号可能なデータ形式であり、ビデオプレイヤ５の機能情報には、主として、このビデオ復号部２６で復号可能なビデオコーデックが記されている。
【００３８】
実際上、このビデオプレイヤ５の機能情報は、機能情報ファイルとして、メモリカード２に書き込まれるようになされ、図３との同一部分に同一符号を付した図５に示すように、オーディオプレイヤ４の機能情報と同様のフォーマットでなる。
【００３９】
ここで、ビデオプレイヤ５の機能情報をオーディオプレイヤ４の機能情報と比較した場合、識別部Ｘ２、時刻部Ｘ３及びデータ形式部Ｘ４の内容が異なる。
【００４０】
つまり、識別部Ｘ２には、「MODELNAME」タグの中に、ビデオプレイヤ５の型番（例えば、「VP-5**」）が記されると共に、「NICKNAME」タグの中にビデオプレイヤ５のニックネーム（例えば、「MY VIDEO PLAYER」）が記される。このうちニックネームについては、ユーザが設定可能な情報であり、これら型番とニックネームとを組み合わせた情報が、ビデオプレイヤ５の識別情報、つまり端末識別情報となる。
【００４１】
時刻部Ｘ３には、「INSERTEDDATE」タグの中に、メモリカード２がビデオプレイヤ５に装着された日時、つまり機能情報ファイルの記録日時（例えば、「2005-01-05TO10:45:30Z」）が記される。
【００４２】
データ形式部Ｘ４には、「CAPABILITY」タグの中に、ビデオ復号部２６で復号可能なビデオコーデックを示す「VIDEOCODEC」タグが記述される。この「VIDEOCODEC」タグは、復号可能なビデオコーデックの種類毎に記述され、各「VIDEOCODEC」タグの中には、ビデオコーデックの種類が記される１個の「TITLE」タグと、ビデオコーデックのビットレートが記される１個以上の「BITRATE」タグとが記述される。
【００４３】
実際上、図５は、このデータ形式部Ｘ４に、２個の「VIDEOCODEC」タグが記述された例であり、一方の「VIDEOCODEC」タグには、「TITLE」タグに「MPEG4（Moving Picture Experts Group phase 4）」が記されると共に２個の「BITRATE」タグのうちの一方に「768000」他方に「384000」が記され、他方の「VIDEOCODEC」タグには、「TITLE」タグに「H.264」が記されると共に２個の「BITRATE」タグのうちの一方に「768000」他方に「384000」が記されている。
【００４４】
つまり、この場合のデータ形式部Ｘ４には、７６８ｋｂｐｓ及び３８４ｋｂｐｓのＭＰＥＧ４と、７６８ｋｂｐｓ及び３８４ｋｂｐｓのＨ．２６４とが、ビデオ復号部２６で復号可能なビデオコーデックとして示されている。
【００４５】
このように、ビデオプレイヤ５の機能情報ファイルには、ビデオ復号部２６で復号可能なビデオコーデックにくわえて、ビデオプレイヤ５の端末識別情報と、機能情報ファイルの記録日時とが示されている。
【００４６】
ちなみに、ビデオ復号部２６で復号可能なオーディオコーデック、及びビデオプレイヤ５の端末識別情報は、予めビデオプレイヤ５の機能情報メモリ２４に書き込まれている機能情報に示された情報である。つまり、ビデオプレイヤ５は、メモリカード２が装着されると、機能情報メモリ２４から読み出した機能情報にこのときの日時を追記し、機能情報ファイルとしてメモリカード２に書き込むようになされている。
【００４７】
また、ビデオプレイヤ５は、以前にオーディオプレイヤ４またはビデオプレイヤ５に装着されるなどしてメモリカード２に既に機能情報ファイルが書き込まれていた場合、既存の機能情報ファイルに対して、新たな機能情報ファイルを上書きするようになされている。よって、メモリカード２には、最新の機能情報ファイル（つまり直近に装着されたオーディオプレイヤ４またはビデオプレイヤ５の機能情報ファイル）のみが保存されるようになされている。
【００４８】
次に、データ記憶装置３の回路構成を説明する。図６に示すように、データ記憶装置３は、メモリカード２を装着する装着部３０を有しており、制御部３１が、図示しない内蔵記憶部から読み出したプログラムにしたがって全体を統括制御すると共に各種処理を実行するようになされている。
【００４９】
すなわちデータ記憶装置３の制御部３１は、カード検出部３２を介して、装着部３０にメモリカード２が装着されたことを認識すると、メモリコントローラ３３を制御して、メモリカード２から機能情報ファイルを検索する。検索の結果、機能情報ファイルが見つかると、制御部３１は、この機能情報ファイルを、メモリコントローラ３３を介してメモリカード２から読み出し、その内容を解析する。
【００５０】
ここで、メモリカード２が直近までオーディオプレイヤ４に装着されていた場合を一例として説明すると、このメモリカード２には、図３に示したような、オーディオプレイヤ４の機能情報ファイルが保存されていることになる。この場合、データ記憶装置３の制御部３１は、この機能情報ファイルの内容を解析することにより、メモリカード２を直近まで装着していたオーディオプレイヤ４、つまりメモリカード２を介してデータを渡す相手となるオーディオプレイヤ４で復号可能なオーディオコーデックが、１２８ｋｂｐｓ及び６４ｋｂｐｓのＡＴＲＡＣＸと、２５６ｋｂｐｓ及び１２８ｋｂｐｓのＭＰ３とであると特定する。
【００５１】
その後、制御部３１は、操作部３４を介して、データ記憶部３５に記憶している例えばオーディオデータをメモリカード２に転送するためのアプリケーションを実行する操作がユーザにより行われたことを認識すると、図示しない内蔵記憶部から読み出したアプリケーションプログラムにしたがって、図７に示すオーディオデータ転送画面Ｄｓを表示部３６に表示する。
【００５２】
このオーディオデータ転送画面Ｄｓは、オーディオデータの転送元となるデータ記憶装置３の名称（例えば、「My Computer」）と、オーディオデータの転送先となるメモリカード２の名称（例えば、「Memory Card」）とがリスト化されて表示される転送元／先リスト表示部Ｄｓ１と、データ記憶装置３のデータ記憶部３５に記憶されているオーディオデータ毎の関連情報（曲名、再生時間、アーティスト名、収録アルバム名及びジャンルなど）、またはメモリカード２に書き込まれているオーディオデータ毎の関連情報がリスト化されて表示されるデータリスト表示部Ｄｓ２と、オーディオデータの検索条件を入力するための検索ボックスＤｓ３とで構成される。また、このオーディオデータ転送画面Ｄｓ上には、操作部３４を介したユーザ操作によりオーディオデータ転送画面Ｄｓ上を移動可能で、転送元／先リスト表示部Ｄｓ１に表示された名称、及びデータリスト表示部Ｄｓ２に表示された関連情報などを選択可能な矢印カーソルＣｕが表示されるようになされている。
【００５３】
実際上、表示直後のオーディオデータ転送画面Ｄｓは、転送元／先リスト表示部Ｄｓ１に表示された「My Computer」及び「Memory Card」のうちの「My Computer」が選択された状態であると共に、選択された「My Computer」に記憶されている全オーディオデータ（つまりデータ記憶装置３のデータ記憶部３５に記憶されている全オーディオデータ）の関連情報のリストがデータリスト表示部Ｄｓ２に表示された状態となる。
【００５４】
ここで例えば、図８に示すように、検索ボックスＤｓ３に検索条件（例えば、アルバム名）が入力されると、データリスト表示部Ｄｓ２には、検索条件に合致する関連情報のみのリストが表示される。
【００５５】
そして、このデータリスト表示部Ｄｓ２に表示された関連情報のなかから、メモリカード２に転送するオーディオデータの関連情報が選択（図９）された後、転送元／先リスト表示部Ｄｓ１に表示された「My Computer」及び「Memory Card」のうちの「Memory Card」が選択されて、図示しないメニューウインドウから転送コマンドが選択されると、データ記憶装置３の制御部３１は、選択された関連情報に対応するオーディオデータのメモリカード２への転送を開始する。
【００５６】
このとき制御部３１は、メモリカード２へ転送するオーディオデータのオーディオコーデックが、メモリカード２に保存されている機能情報ファイルに基づいて特定したオーディオプレイヤ４で復号可能なオーディオコーデックであるか否かを判定する。ここで、メモリカード２へ転送するオーディオデータのオーディオコーデックがオーディオプレイヤ４で復号可能なオーディオコーデックである場合、制御部３１は、メモリカード２へ転送するオーディオデータを、データ記憶部３５から読み出し、そのままのデータ形式でメモリコントローラ３３を介してメモリカード２に書き込む。
【００５７】
これに対して、メモリカード２へ転送するオーディオデータのオーディオコーデックがオーディオプレイヤ４で復号できないオーディオコーデックである場合、制御部３１は、メモリカード２へ転送するオーディオデータを、データ記憶部３５から読み出し、符号化部３７によりオーディオプレイヤ４で復号可能なオーディオコーデックで符号化したうえで、メモリコントローラ３３を介してメモリカード２に書き込む。ちなみに、図３に示した機能情報ファイルにあるように、オーディオプレイヤ４で復号可能なオーディオコーデックが複数存在する場合、制御部３１は、これら複数のオーディオコーデックのうちの１つで転送するデータを符号化するようになされている。
【００５８】
そして制御部３１は、選択された関連情報に対応するオーディオデータのメモリカード２への書き込みが全て終了すると、オーディオデータの転送を終了する。この結果、図１０に示すように、データリスト表示部Ｄｓ２には、メモリカード２に書き込まれたオーディオデータの関連情報がリスト表示される。
【００５９】
このように、制御部３１は、メモリカード２に転送するよう選択されたオーディオデータを、メモリカード２に書き込まれている機能情報ファイルに基づき、メモリカード２を介してデータを渡す相手となるオーディオプレイヤ４により復号可能なデータ形式（オーディオコーデック）でメモリカード２に書き込むようになされている。
【００６０】
ちなみに、ここでは、メモリカード２がデータ記憶装置３に装着される直近までオーディオプレイヤ４に装着されていた例について説明したが、メモリカード２がデータ記憶装置３に装着される直近までビデオプレイヤ５に装着されていた場合も、データ記憶装置３で行う処理内容は同様である。
【００６１】
すなわちデータ記憶装置３の制御部３１は、装着されたメモリカード２に書き込まれている機能情報ファイルに基づき、メモリカード２を介してビデオデータを渡す相手となるビデオプレイヤ５で復号可能なビデオコーデックを特定する。そして、制御部３１は、メモリカード２へ転送するビデオデータのビデオコーデックがビデオプレイヤ５で復号可能なビデオコーデックである場合には、メモリカード２へ転送するビデオデータを、そのままのデータ形式でメモリカード２に書き込み、一方で、ビデオプレイヤ５で復号できないビデオコーデックである場合には、メモリカード２へ転送するビデオデータを符号化部３７によりビデオプレイヤ５で復号可能なビデオコーデックで符号化したうえで、メモリカード２に書き込むようになされている。
【００６２】
また一方で、制御部３１は、メモリカード２に機能情報が書き込まれていなかった場合に、装着されたメモリカード２に既に書き込まれているデータのデータ形式に基づいて、メモリカード２を介してデータを渡す相手となる端末で復号可能なデータ形式を推定する機能を有している。
【００６３】
すなわち制御部３１は、メモリカード２に機能情報が書き込まれていなかった場合、まず、メモリコントローラ３３を制御して、装着されたメモリカード２に既に書き込まれているデータを検索する。検索の結果、データが見つかると、制御部３１は、このデータのデータ形式を取得する。ここで、例えば、取得したデータ形式が、６４ｋｂｐｓのＭＰ３でなるオーディオコーデックであった場合、制御部３１は、この６４ｋｂｐｓのＭＰ３でなるオーディオコーデックを、メモリカード２を介してデータを渡す相手となる端末により復号可能なデータ形式であると推定して、メモリカード２に転送するよう選択された例えばオーディオデータを、このデータ形式（６４ｋｂｐｓのＭＰ３）でメモリカード２に書き込むようになされている。
【００６４】
（１−３）第１の実施の形態による機能情報の書込処理及びデータの書込処理
次に、オーディオプレイヤ４及びビデオプレイヤ５によるメモリカード２への機能情報の書込処理、及びデータ記憶装置３によるメモリカード２へのデータの書込処理について、その手順を詳しく説明する。
【００６５】
まず、図１１のフローチャートを用いて、オーディオプレイヤ４及びビデオプレイヤ５によるメモリカード２への機能情報の書込処理手順（以下、これを機能情報書込処理手順とも呼ぶ）ＲＴ１について説明する。ちなみに、この機能情報書込処理手順ＲＴ１は、オーディオプレイヤ４の制御部１１が図示しない内蔵記憶部から読み出したプログラムにしたがって実行する処理手順であると共に、ビデオプレイヤ５の制御部２１が図示しない内蔵記憶部から読み出したプログラムにしたがって実行する処理手順であり、ここでは、説明の便宜上、オーディオプレイヤ４の制御部１１が実行する場合の機能情報書込処理手順ＲＴ１のみを説明する。
【００６６】
オーディオプレイヤ４の制御部１１は、起動後、この機能情報書込処理手順ＲＴ１を開始して、ステップＳＰ１に移る。ステップＳＰ１において制御部１１は、メモリカード２が装着されるまで待ち受け、メモリカード２が装着されたことを認識すると、ステップＳＰ２に移る。
【００６７】
ステップＳＰ２において制御部１１は、機能情報メモリ１４から機能情報を読み出して、この機能情報にこのときの日時を追記して機能情報ファイルとし、これをメモリカード２に書き込み（既に機能情報ファイルが書き込まれている場合には上書き）、この機能情報書込処理手順ＲＴ１を終了する。
【００６８】
このような機能情報書込処理手順ＲＴ１にしたがい、オーディオプレイヤ４の制御部１１は、装着されたメモリカード２に機能情報ファイルを書き込むようになされている。
【００６９】
次に、図１２のフローチャートを用いて、データ記憶装置３によるメモリカード２へのデータの書込処理手順（以下、これをデータ書込処理手順とも呼ぶ）ＲＴ２について説明する。ちなみに、このデータ書込処理手順ＲＴ２は、データ記憶装置３の制御部３１が図示しない内蔵記憶部から読み出したプログラムにしたがって実行する処理手順である。
【００７０】
データ記憶装置３の制御部３１は、起動後、このデータ書込処理手順ＲＴ２を開始して、ステップＳＰ１０に移る。ステップＳＰ１０において制御部３１は、メモリカード２が装着されるまで待ち受け、メモリカード２が装着されたことを認識すると、ステップＳＰ１１に移る。
【００７１】
ステップＳＰ１１において制御部３１は、装着されたメモリカード２に機能情報ファイルが書き込まれているか否かを判定する。このステップＳＰ１１で肯定結果を得ると、このことは、メモリカード２がデータ記憶装置３に装着される以前にオーディオプレイヤ４またはビデオプレイヤ５に装着されていたこと意味しており、このとき制御部３１は、ステップＳＰ１２に移る。
【００７２】
ステップＳＰ１２において制御部３１は、メモリカード２から機能情報ファイルを読み出し、この機能情報ファイルに基づき、メモリカード２を介してデータを渡す相手となる例えばオーディオプレイヤ４で復号可能なデータ形式（オーディオコーデック）を特定して、ステップＳＰ１４に移る。
【００７３】
これに対して、上述のステップＳＰ１１で否定結果を得た場合、このことは、メモリカード２がデータ記憶装置３に装着される以前に例えばオーディオプレイヤ４及びビデオプレイヤ５以外の端末で利用されていたことを意味しており、このとき制御部３１は、ステップＳＰ１３に移る。
【００７４】
ステップＳＰ１３において制御部３１は、装着されたメモリカード２に既に書き込まれているデータを検索し、検索結果として得られたデータのデータ形式に基づき、メモリカード２を介してデータを渡す相手となる端末で復号可能なデータ形式を推定して、ステップＳＰ１４に移る。
【００７５】
ステップＳＰ１４において制御部３１は、ユーザによりメモリカード２に転送するデータが選択されたことを認識すると、この転送するデータのデータ形式が、上述のステップＳＰ１２で特定したデータ形式またはステップＳＰ１３で推定したデータ形式と同じであるか否かを判定する。このステップＳＰ１４で肯定結果を得ると、このことは、メモリカード２に転送するデータのデータ形式が、メモリカード２を介してデータを渡す相手となる端末で復号可能なデータ形式であることを意味しており、このとき制御部３１は、ステップＳＰ１５に移り、転送するデータを、そのままのデータ形式でメモリカード２に書き込み、このデータ書込処理手順ＲＴ２を終了する。
【００７６】
これに対して、上述のステップＳＰ１４で否定結果を得た場合、このことは、メモリカード２に転送するデータのデータ形式が、メモリカード２を介してデータを渡す相手となる端末で復号できないデータ形式であることを意味しており、このとき制御部３１は、ステップＳＰ１６に移り、転送するデータを、符号化部３７により端末で復号可能なデータ形式に変換したうえでメモリカード２に書き込み、このデータ書込処理手順ＲＴ２を終了する。
【００７７】
このようなデータ書込処理手順ＲＴ２にしたがい、データ記憶装置３の制御部３１は、装着されたメモリカード２にデータを書き込むようになされている。
【００７８】
（１−４）第１の実施の形態による動作及び効果
以上の構成において、このデータ受け渡しシステム１では、メモリカード２を介してデータを受け取る側の端末（つまりオーディオプレイヤ４またはビデオプレイヤ５）に、メモリカード２が装着されると、端末がこのメモリカード２に対して、自端末の再生機能により復号可能なデータ形式を示す機能情報を書き込む。
【００７９】
一方、メモリカード２を介してデータを渡す側のデータ記憶装置３は、機能情報が書き込まれたメモリカード２が装着されると、このメモリカード２に書き込まれている機能情報に示されるデータ形式で、データをメモリカード２に書き込む。
【００８０】
こうすることで、このデータ受け渡しシステム１では、データ記憶装置３が、メモリカード２に対して、メモリカード２を介してデータを渡す相手となる端末により復号可能なデータ形式でデータを書き込むことができる。
【００８１】
つまり、このデータ受け渡しシステム１では、データを受け取る側の端末にメモリカード２を装着させて、端末の機能情報をこのメモリカード２に書き込ませてから、このメモリカード２を、データを渡す側のデータ記憶装置３に装着させるだけで、データ記憶装置３が、このメモリカード２に書き込まれている機能情報に基づき、データを渡す相手となる端末により復号可能なデータ形式を特定して、この特定したデータ形式でデータをメモリカード２に書き込むことができるので、ユーザに何ら煩わしい操作をさせることなく、データ記憶装置３から端末に対し、メモリカード２を介して、端末により復号可能なデータ形式でデータを渡すことができる。
【００８２】
また、このデータ受け渡しシステム１では、データ記憶装置３が、メモリカード２に機能情報が書き込まれていなかった場合でも、このメモリカード２に既に書き込まれているデータのデータ形式に基づき、データを渡す相手となる端末により復号可能なデータ形式を推定するようにしたことにより、データを渡す相手となる端末により復号可能なデータ形式でデータをメモリカード２に書き込むことができる。
【００８３】
さらに、このデータ受け渡しシステム１では、データ記憶装置３と、端末であるオーディオプレイヤ４及びビデオプレイヤ５との間で、メモリカード２を介して、機能情報及びデータを受け渡すようになされているので、例えば、データ記憶装置３及び端末に機能情報を送受する通信機能を必要とせず、簡易な構成でシステムを実現できる。
【００８４】
以上の構成によれば、端末にメモリカード２が装着されると、端末に記憶されている端末により復号可能なデータ形式を示す機能情報を、メモリカード２に書き込み、この機能情報が書き込まれたメモリカード２がデータ記憶装置３に装着されると、データ記憶装置３がメモリカード２に書き込まれている機能情報に対応するデータ形式で、メモリカード２にデータを書き込むようにしたことにより、メモリカード２を介して端末にデータを渡すデータ記憶装置３が、端末により復号可能なデータ形式を特定して、端末により復号可能なデータ形式でメモリカード２にデータを書き込むことができ、かくして、メモリカード２を介して、データを受け取る側に対し確実に復号し得るデータ形式でデータを渡すことができる。
【００８５】
（２）第２の実施の形態
次に、本発明の第２の実施の形態を詳述する。この第２の実施の形態は、上述の第１の実施の形態とは異なる機能情報書込処理及びデータ書込処理を実行する実施例であり、これら機能情報書込処理及びデータ書込処理以外の部分であるシステム構成、端末（オーディオプレイヤ４及びビデオプレイヤ５）の構成、データ記憶装置３の構成などは第１の実施の形態と同様とする。
【００８６】
すなわち、この第２の実施の形態のデータ受け渡しシステム１では、端末側でメモリカード２に対して機能情報ファイルを追加で書き込むようになされている点が、端末側でメモリカード２に対して機能情報ファイルを上書きするようになされた第１の実施の形態と異なる点である。
【００８７】
まず、図１３のフローチャートを用いて、オーディオプレイヤ４及びビデオプレイヤ５によるメモリカード２への機能情報書込処理手順ＲＴ３について説明する。ちなみに、この機能情報書込処理手順ＲＴ３は、オーディオプレイヤ４の制御部１１が図示しない内蔵記憶部から読み出したプログラムにしたがって実行する処理手順であると共に、ビデオプレイヤ５の制御部２１が図示しない内蔵記憶部から読み出したプログラムにしたがって実行する処理手順であり、ここでは、説明の便宜上、オーディオプレイヤ４の制御部１１が実行する場合の機能情報書込処理手順ＲＴ３のみを説明する。
【００８８】
オーディオプレイヤ４の制御部１１は、起動後、この機能情報書込処理手順ＲＴ３を開始して、ステップＳＰ２０に移る。ステップＳＰ２０において制御部１１は、メモリカード２が装着されるまで待ち受け、メモリカード２が装着されたことを認識すると、ステップＳＰ２１に移る。
【００８９】
ステップＳＰ２１において制御部１１は、メモリコントローラ１３を介して、メモリカード２に既に書き込まれている機能情報ファイルの数を確認して、次のステップＳＰ２２に移る。
【００９０】
ステップＳＰ２２において制御部１１は、機能情報ファイルの数が所定数に到達しているか否かを判定する。ちなみに、この場合の所定数とは、メモリカード２に記憶する機能情報ファイルの数の上限であり、例えば１０個に設定されている。このステップＳＰ２２で否定結果を得ると、このことは、メモリカード２に記憶されている機能情報ファイルの数が上限に達していないことを意味しており、このとき制御部１１は、ステップＳＰ２３に移る。
【００９１】
ステップＳＰ２３において制御部１１は、機能情報メモリ１４から機能情報を読み出して、この機能情報にこのときの日時を追記して最新の機能情報ファイルとし、これを、メモリカード２に既に書き込まれている機能情報ファイルとは別ファイルとして新規で書き込み、この機能情報書込処理手順ＲＴ３を終了する。
【００９２】
これに対して、上述のステップＳＰ２２で肯定結果を得た場合、このことは、メモリカード２に記憶されている機能情報ファイルの数が上限に達していることを意味しており、このとき制御部１１は、ステップＳＰ２４に移る。
【００９３】
ステップＳＰ２４において制御部１１は、機能情報メモリ１４から機能情報を読み出して、この機能情報にこのときの日時を追記して最新の機能情報ファイルとし、これを、メモリカード２に既に書き込まれている複数（この場合１０個）の機能情報ファイルのうちの記録日時が最も古い機能情報ファイルに上書きして、この機能情報書込処理手順ＲＴ３を終了する。
【００９４】
このような機能情報書込処理手順ＲＴ３にしたがい、オーディオプレイヤ４の制御部１１は、装着されたメモリカード２に機能情報ファイルを書き込むようになされている。
【００９５】
次に、図１４のフローチャートを用いて、データ記憶装置３によるメモリカード２へのデータ書込処理手順ＲＴ４について説明する。ちなみに、このデータ書込処理手順ＲＴ４は、データ記憶装置３の制御部３１が図示しない内蔵記憶部から読み出したプログラムにしたがって実行する処理手順である。
【００９６】
データ記憶装置３の制御部３１は、起動後、このデータ書込処理手順ＲＴ４を開始して、ステップＳＰ３０に移る。ステップＳＰ３０において制御部３１は、メモリカード２が装着されるまで待ち受け、メモリカード２が装着されたことを認識すると、ステップＳＰ３１に移る。
【００９７】
ステップＳＰ３１において制御部３１は、装着されたメモリカード２に機能情報ファイルが少なくとも１個以上書き込まれているか否かを判定する。このステップＳＰ３１で肯定結果を得ると、このことは、メモリカード２がデータ記憶装置３に装着される以前にオーディオプレイヤ４またはビデオプレイヤ５に少なくとも１回は装着されていたこと意味しており、このとき制御部３１は、ステップＳＰ３２に移る。
【００９８】
ステップＳＰ３２において制御部３１は、メモリコントローラ３３を介して、メモリカード２に書き込まれている機能情報ファイルのなかから、記録日時が最も新しい機能情報ファイルを最新の機能情報ファイルと特定して読み出し、次のステップＳＰ３３に移る。
【００９９】
ステップＳＰ３３において制御部３１は、最新の機能情報ファイルに基づき、メモリカード２を介してデータを渡す相手となる例えばオーディオプレイヤ４で復号可能なデータ形式（オーディオコーデック）を特定して、ステップＳＰ３５に移る。
【０１００】
これに対して、上述のステップＳＰ３１で否定結果を得た場合、このことは、メモリカード２がデータ記憶装置３に装着される以前に、例えば１度もオーディオプレイヤ４またはビデオプレイヤ５に装着されたことがなく他の端末で利用されていたことを意味しており、このとき制御部３１は、ステップＳＰ３４に移る。
【０１０１】
ステップＳＰ３４において制御部３１は、装着されたメモリカード２に既に書き込まれているデータを検索し、検索結果として得られたデータのデータ形式に基づき、メモリカード２を介してデータを渡す相手となる端末により復号可能なデータ形式を推定して、ステップＳＰ３５に移る。
【０１０２】
ステップＳＰ３５において制御部３１は、ユーザによりメモリカード２に転送するデータが選択されたことを認識すると、この転送するデータのデータ形式が、上述のステップＳＰ３３で特定したデータ形式またはステップＳＰ３４で推定したデータ形式と同じであるか否かを判定する。このステップＳＰ３５で肯定結果を得ると、このことは、メモリカード２に転送するデータのデータ形式が、メモリカード２を介してデータを渡す相手となる端末で復号可能なデータ形式であることを意味しており、このとき制御部３１は、ステップＳＰ３６に移り、転送するデータを、そのままのデータ形式でメモリカード２に書き込み、このデータ書込処理手順ＲＴ４を終了する。
【０１０３】
これに対して、上述のステップＳＰ３５で否定結果を得た場合、このことは、メモリカード２に転送するデータのデータ形式が、メモリカード２を介してデータを渡す相手となる端末で復号できないデータ形式であることを意味しており、このとき制御部３１は、ステップＳＰ３７に移り、転送するデータを、符号化部３７により端末で復号可能なデータ形式に変換したうえでメモリカード２に書き込み、このデータ書込処理手順ＲＴ４を終了する。
【０１０４】
このようなデータ書込処理手順ＲＴ４にしたがい、データ記憶装置３の制御部３１は、装着されたメモリカード２にデータを書き込むようになされている。
【０１０５】
以上の構成において、この第２の実施の形態のデータ受け渡しシステム１では、メモリカード２を介してデータを受け取る側の端末（つまりオーディオプレイヤ４またはビデオプレイヤ５）にメモリカードが装着されると、この端末が、メモリカード２に既に書き込まれている機能情報ファイルの数を確認して、この数が所定数未満であれば最新の機能情報ファイルをメモリカード２に追加で書き込み、この数が所定数に達していればメモリカード２に既に書き込まれている機能情報ファイルのうちの最も古い機能情報ファイルに最新の機能情報ファイルを上書きする。
【０１０６】
こうすることで、このデータ受け渡しシステム１では、例えば、メモリカード２が複数の記憶領域で構成されると共に記憶領域毎にデータの書き込みを保証する回数の上限が設定されたフラッシュメモリでなる場合に、毎回、機能情報ファイルが所定の記憶領域に対して繰り返し上書きされるのを極力防止することができ、結果として、メモリカード２の書き込み寿命を延ばすことができる。
【０１０７】
また、メモリカード２に書き込まれる機能情報ファイルの数に上限を設けるようにしたことにより、メモリカード２の空き容量を十分確保することができる。
【０１０８】
（３）第３の実施の形態
次に、本発明の第３の実施の形態を詳述する。この第３の実施の形態は、上述の第２の実施の形態とは異なる機能情報書込処理及びデータ書込処理を実行する実施例であり、これら機能情報書込処理及びデータ書込処理以外の部分であるシステム構成、端末（オーディオプレイヤ４及びビデオプレイヤ５）の構成、データ記憶装置３の構成などは第２の実施の形態と同様とする。
【０１０９】
すなわちこの第３の実施の形態のデータ受け渡しシステム１では、端末にメモリカード２が装着されたとき、自端末の端末識別情報（すなわち型番とニックネームとを組み合わせた情報）を持つ機能情報ファイルがメモリカード２に既に書き込まれている場合にはこの機能情報ファイルを更新し、書き込まれていない場合には自端末の端末識別情報を持つ機能情報ファイルを追加で書き込むようになされている点が、メモリカード２に書き込まれている機能情報ファイルの数に基づいて機能情報ファイルを追加または上書きするようになされた第２の実施の形態と異なる点である。
【０１１０】
また、この第３の実施の形態のデータ受け渡しシステム１では、メモリカード２に複数の機能情報ファイルが書き込まれている場合に、これら複数の機能情報ファイルのうちのユーザに選択された機能情報ファイルに示されるデータ形式でデータをメモリカード２に書き込むようになされている点が、複数の機能情報ファイルのうちの最新の機能情報ファイルに示されるデータ形式でデータをメモリカード２に書き込むようになされた第２の実施の形態と異なる点である。
【０１１１】
この第３の実施の形態では、説明の便宜上、図１５に示すように、まずメモリカード２が型番「AP-4a*」及びニックネーム「MY AUDIO PLAYER」で識別されるオーディオプレイヤ４ａに装着され、その後、このメモリカード２が型番「AP-4b*」及びニックネーム「MY MUSCI PLAYER」で識別されるオーディオプレイヤ４ｂに装着され、さらにその後、再びオーディオプレイヤ４ａに装着された場合を例として説明する。
【０１１２】
ちなみに、これらオーディオプレイヤ４ａ及び４ｂのそれぞれは、図２に示したオーディオプレイヤ４と同様の回路構成を有する端末であるとする。ただし、それぞれのオーディオ復号部１６で復号可能なデータ形式は、異なっていてもよいものとする。
【０１１３】
まずメモリカード２が型番「AP-4a*」及びニックネーム「MY AUDIO PLAYER」で識別されるオーディオプレイヤ４ａに装着されると、オーディオプレイヤ４ａの制御部１１は、このメモリカード２に１個も機能情報ファイルが書き込まれていないので、メモリカード２に、自端末の端末識別情報を持つ機能情報ファイルを書き込む。
【０１１４】
その後、このメモリカード２が型番「AP-4b*」及びニックネーム「MY MUSIC PLAYER」で識別されるオーディオプレイヤ４ｂに装着されると、オーディオプレイヤ４ｂの制御部１１は、このメモリカード２に他端末（つまりオーディオプレイヤ４ａ）の端末識別情報を持つ機能情報ファイルは書き込まれているものの、自端末の端末識別情報（つまり型番「AP-4b*」及びニックネーム「MY MUSIC PLAYER」）を持つ機能情報ファイルは書き込まれていないので、自端末の端末識別情報を持つ機能情報ファイルを追加で書き込む。
【０１１５】
さらにその後、このメモリカード２が再びオーディオプレイヤ４ａに装着されると、オーディオプレイヤ４ａの制御部１１は、このメモリカード２に自端末の端末識別情報を持つ機能情報ファイルが書き込まれているので、この機能情報ファイルの時刻部Ｘ３に記された日時、つまり記録日時を更新する。
【０１１６】
この結果、メモリカード２には、オーディオプレイヤ４ａの端末識別情報を持つ１個の機能情報ファイルと、オーディオプレイヤ４ｂの端末識別情報を持つ１個の機能情報ファイルの２個の機能情報ファイルが書き込まれている状態となる。
【０１１７】
このようにして、この第３の実施の形態のデータ受け渡しシステム１では、メモリカード２に、このメモリカード２を装着した端末１台につき１個の機能情報ファイルを保持するようになされている。
【０１１８】
その後、このメモリカード２がデータ記憶装置３に装着され、操作部３４を介して、データ記憶部３５に記憶している例えばオーディオデータをメモリカード２に転送するためのアプリケーションを実行する操作がユーザにより行われたことを認識すると、データ記憶装置３の制御部３１は、図示しない内蔵記憶部から読み出したアプリケーションプログラムにしたがって、図１６に示すオーディオデータ転送画面Ｄｓを表示部３６に表示する。
【０１１９】
この場合、制御部３１は、オーディオデータ転送画面Ｄｓの転送元／先リスト表示部Ｄｓ１に、オーディオデータの転送元となるデータ記憶装置３の名称（例えば、「My Computer」）と、オーディオデータの転送先となるメモリカード２に書き込まれている例えば２個の機能情報ファイルのそれぞれに記された端末識別情報とをリスト表示する。つまり、転送元／先リスト表示部Ｄｓ１には、「My Computer」にくわえて、メモリカード２を介してデータを渡す相手となる端末の端末識別情報「AP-4a* MY AUDIO PLAYER」及び「AP-4b* MY MUSIC PLAYER」が表示される。
【０１２０】
そして、データ記憶装置３の制御部３１は、転送元／先リスト表示部Ｄｓ１に表示されている「My Computer」が選択された状態で、データリスト表示部Ｄｓ２に表示された関連情報のなかから、メモリカード２に転送するオーディオデータの関連情報が選択された後、転送元／先リスト表示部Ｄｓ１に表示されている端末識別情報のうちの１つ（例えば、「AP-4a* MY AUDIO PLAYER」）が選択されて、図示しないメニューウインドウから転送コマンドが選択されると、選択された関連情報に対応するオーディオデータのメモリカード２への転送を開始する。
【０１２１】
このとき制御部３１は、メモリカード２に書き込まれている２個の機能情報ファイルのうちの選択された端末識別情報「AP-4a* MY AUDIO PLAYER」を持つ機能情報ファイルに示されるオーディオコーデックで、転送するよう選択されたオーディオデータをメモリカード２に書き込む。
【０１２２】
このようにして、この第３の実施の形態のデータ受け渡しシステム１では、データ記憶装置３が、メモリカードに転送するよう選択されたオーディオデータを、メモリカード２に書き込まれている機能情報ファイルのうちのユーザに選択された端末識別情報を持つ機能情報ファイルに示されるデータ形式でメモリカード２に書き込むようになされている。
【０１２３】
次に、図１７のフローチャートを用いて、オーディオプレイヤ４ａ及び４ｂによるメモリカード２への機能情報書込処理手順ＲＴ５について説明する。ちなみに、この機能情報書込処理手順ＲＴ５は、オーディオプレイヤ４ａの制御部１１が図示しない内蔵記憶部から読み出したプログラムにしたがって実行する処理手順であると共に、オーディオプレイヤ４ｂの制御部１１が図示しない内蔵記憶部から読み出したプログラムにしたがって実行する処理手順であり、ここでは、説明の便宜上、オーディオプレイヤ４ａの制御部１１が実行する場合の機能情報書込処理手順ＲＴ５のみを説明する。
【０１２４】
オーディオプレイヤ４ａの制御部１１は、起動後、この機能情報書込処理手順ＲＴ５を開始して、ステップＳＰ４０に移る。ステップＳＰ４０において制御部１１は、メモリカード２が装着されるまで待ち受け、メモリカード２が装着されたことを認識すると、ステップＳＰ４１に移る。
【０１２５】
ステップＳＰ４１において制御部１１は、メモリコントローラ１３を介して、メモリカード２に、自端末の端末識別情報を持つ機能情報ファイルが書き込まれているか否かを判定する。このステップＳＰ４１で否定結果を得ると、このとき制御部１１は、ステップＳＰ４２に移り、機能情報メモリ１４から機能情報を読み出して、この機能情報にこのときの日時を追記して自端末の端末識別情報を持つ機能情報ファイルとし、これを、メモリカード２に書き込み、この機能情報書込処理手順ＲＴ５を終了する。
【０１２６】
これに対して、上述のステップＳＰ４１で肯定結果を得た場合、このことは、メモリカード２が以前にオーディオプレイヤ４ａに装着されて、オーディオプレイヤ４ａの端末識別情報を持つ機能情報ファイルが既に書き込まれていることを意味しており、このとき制御部１１は、ステップＳＰ４３に移る。
【０１２７】
ステップＳＰ４３において制御部１１は、メモリカード２に書き込まれている自端末の端末識別情報を持つ機能情報ファイルの記録日時を更新して、この機能情報書込処理手順ＲＴ５を終了する。
【０１２８】
このような機能情報書込処理手順ＲＴ５にしたがい、オーディオプレイヤ４ａの制御部１１は、装着されたメモリカード２に機能情報ファイルを書き込むようになされている。
【０１２９】
次に、図１８のフローチャートを用いて、データ記憶装置３によるメモリカード２へのデータ書込処理手順ＲＴ６について説明する。ちなみに、このデータ書込処理手順ＲＴ６は、データ記憶装置３の制御部３１が図示しない内蔵記憶部から読み出したプログラムにしたがって実行する処理手順である。
【０１３０】
データ記憶装置３の制御部３１は、起動後、このデータ書込処理手順ＲＴ６を開始して、ステップＳＰ５０に移る。ステップＳＰ５０において制御部３１は、メモリカード２が装着されるまで待ち受け、メモリカード２が装着されたことを認識すると、ステップＳＰ５１に移る。
【０１３１】
ステップＳＰ５１において制御部３１は、装着されたメモリカード２に機能情報ファイルが少なくとも１個以上書き込まれているか否かを判定する。このステップＳＰ５１で肯定結果を得ると、このとき制御部３１は、ステップＳＰ５２に移る。
【０１３２】
ステップＳＰ５２において制御部３１は、メモリコントローラ３３を介して、メモリカード２に書き込まれている全ての機能情報ファイルを読み出し、機能情報ファイルのそれぞれに記された端末識別情報を、表示部３６に表示（つまりオーディオデータ転送画面Ｄｓの転送元／先リスト表示部Ｄｓ１に表示）して、次のステップＳＰ５３に移る。
【０１３３】
ステップＳＰ５３において制御部３１は、表示した端末識別情報のうちのユーザにより選択された端末識別情報を持つ機能情報ファイルに基づき、この選択された端末識別情報により識別される端末（すなわちメモリカード２を介してデータを渡す相手となる端末）で復号可能なデータ形式を特定して、ステップＳＰ５５に移る。
【０１３４】
これに対して、上述のステップＳＰ５１で否定結果を得た場合、このとき制御部３１は、ステップＳＰ５４に移る。ステップＳＰ５４において制御部３１は、装着されたメモリカード２に既に書き込まれているデータを検索し、検索結果として得られたデータのデータ形式に基づき、メモリカード２を介してデータを渡す相手となる端末で復号可能なデータ形式を推定して、ステップＳＰ５５に移る。
【０１３５】
ステップＳＰ５５において制御部３１は、ユーザによりメモリカード２に転送するよう選択されたデータのデータ形式が、上述のステップＳＰ５３で特定したデータ形式またはステップＳＰ５４で推定したデータ形式と同じであるか否かを判定する。このステップＳＰ５５で肯定結果を得ると、このことは、メモリカード２に転送するデータのデータ形式が、メモリカード２を介してデータを渡す相手となる端末で復号可能なデータ形式であることを意味しており、このとき制御部３１は、ステップＳＰ５６に移り、転送するデータを、そのままのデータ形式でメモリカード２に書き込み、このデータ書込処理手順ＲＴ６を終了する。
【０１３６】
これに対して、上述のステップＳＰ５５で否定結果を得た場合、このことは、メモリカード２に転送するデータのデータ形式が、メモリカード２を介してデータを渡す相手となる端末で復号できないデータ形式であることを意味しており、このとき制御部３１は、ステップＳＰ５７に移り、転送するデータを、符号化部３７により端末で復号可能なデータ形式に変換したうえでメモリカード２に書き込み、このデータ書込処理手順ＲＴ６を終了する。
【０１３７】
このようなデータ書込処理手順ＲＴ６にしたがい、データ記憶装置３の制御部３１は、装着されたメモリカード２にデータを書き込むようになされている。
【０１３８】
以上の構成において、この第３の実施の形態のデータ受け渡しシステム１では、メモリカード２を介してデータを受け取る側の端末（オーディオプレイヤ４ａまたは４ｂ）にメモリカード２が装着されると、この端末が、メモリカード２に自端末の端末識別情報を持つ機能情報ファイルが既に書き込まれている場合にはこの機能情報ファイルを更新し、書き込まれていない場合には自端末の端末識別情報を持つ機能情報ファイルを新たに書き込む。この結果、メモリカード２には、このメモリカード２が装着された端末１台につき１個の機能情報ファイルが保存される。
【０１３９】
ここで、機能情報ファイルは、同一の端末で生成されるのであれば、時刻部Ｘ３に示される日時（つまり機能情報ファイルの記録日時）以外同一となるので、この第３の実施の形態のデータ受け渡しシステム１のように、端末１台につき１個の機能情報ファイルを保持するようにすれば、その分、メモリカード２の記憶容量を有効利用することができる。
【０１４０】
また、この第３の実施の形態のデータ受け渡しシステム１では、メモリカード２に複数の機能情報ファイルが書き込まれている場合に、これら複数の機能情報ファイルのうちのユーザに選択された機能情報ファイルに示されるデータ形式でデータをメモリカード２に書き込むようにしたことにより、ユーザに対して機能情報ファイルを選択し得る自由度、つまりメモリカード２に書き込むデータのデータ形式を選択し得る自由度を与えて、メモリカード２を介したデータ受け渡し時の利便性を向上させることができる。
【０１４１】
またこのとき、データ受け渡しシステム１では、メモリカード２に書き込まれている機能情報ファイルのそれぞれに含まれる端末識別情報を表示して、この表示した端末識別情報をユーザに選択させることで間接的に機能情報ファイルを選択させ、この選択された機能情報ファイルに示されるデータ形式でデータをメモリカード２に書き込むようにしたことにより、メモリカード２に書き込むデータのデータ形式を、どの端末で復号可能なデータ形式とするのかをユーザに選択させることができる。
【０１４２】
（４）第４の実施の形態
次に、本発明の第４の実施の形態を詳述する。この第４の実施の形態は、上述の第２の実施の形態とは異なるデータ書込処理を実行する実施例であり、このデータ書込処理以外の部分であるシステム構成、端末（オーディオプレイヤ４及びビデオプレイヤ５）の構成、データ記憶装置３の構成などは第２の実施の形態と同様とする。
【０１４３】
すなわちこの第４の実施の形態のデータ受け渡しシステム１では、複数の機能情報ファイルが書き込まれているメモリカード２がデータ記憶装置３に装着された場合に、このデータ記憶装置３が、これら複数の機能情報ファイルのうちの最新の機能情報ファイル以外の機能情報ファイルをメモリカード２から削除するようになされている点が、メモリカード２に書き込まれている複数の機能情報ファイルが残されるようになされた第２の実施の形態と異なる点である。
【０１４４】
まず、図１９のフローチャートを用いて、データ記憶装置３によるメモリカード２へのデータ書込処理手順ＲＴ７について説明する。ちなみに、このデータ書込処理手順ＲＴ７は、データ記憶装置３の制御部３１が図示しない内蔵記憶部から読み出したプログラムにしたがって実行する処理手順である。
【０１４５】
データ記憶装置３の制御部３１は、起動後、このデータ書込処理手順ＲＴ７を開始して、ステップＳＰ６０に移る。ステップＳＰ６０において制御部３１は、メモリカード２が装着されるまで待ち受け、メモリカード２が装着されたことを認識すると、ステップＳＰ６１に移る。
【０１４６】
ステップＳＰ６１において制御部３１は、装着されたメモリカード２に機能情報メモリ１４が少なくとも１個以上書き込まれているか否かを判定する。このステップＳＰ６１で肯定結果を得ると、このとき制御部３１は、ステップＳＰ６２に移る。
【０１４７】
ステップＳＰ６２において制御部３１は、メモリコントローラ３３を介して、メモリカード２に書き込まれている機能情報ファイルのなかから、記録日時が最も新しい機能情報ファイル（つまり最新の機能情報ファイル）のみを残し、それ以外の機能情報ファイルは削除して、次のステップＳＰ６３に移る。
【０１４８】
ステップＳＰ６３において制御部３１は、最新の機能情報ファイルに基づき、メモリカード２を介してデータを渡す相手となる端末で復号可能なデータ形式を特定して、ステップＳＰ６５に移る。
【０１４９】
これに対して、上述のステップＳＰ６１で否定結果を得た場合、このとき制御部３１は、ステップＳＰ６４に移る。ステップＳＰ６４において制御部３１は、装着されたメモリカード２に既に書き込まれているデータを検索し、検索結果として得られたデータのデータ形式に基づき、メモリカード２を介してデータを渡す相手となる端末で復号可能なデータ形式を推定して、ステップＳＰ６５に移る。
【０１５０】
ステップＳＰ６５において制御部３１は、ユーザによりメモリカード２に転送するデータが選択されたことを認識すると、この転送するデータのデータ形式が、上述のステップＳＰ６３で特定したデータ形式またはステップＳＰ６４で推定したデータ形式と同じであるか否かを判定する。このステップＳＰ６５で肯定結果を得ると、このことは、メモリカード２に転送するデータのデータ形式が、メモリカード２を介してデータを渡す相手となる端末で復号可能なデータ形式であることを意味しており、このとき制御部３１は、ステップＳＰ６６に移り、転送するデータを、そのままのデータ形式でメモリカード２に書き込み、このデータ書込処理手順ＲＴ７を終了する。
【０１５１】
これに対して、上述のステップＳＰ６５で否定結果を得た場合、このことは、メモリカード２に転送するデータのデータ形式が、メモリカード２を介してデータを渡す相手となる端末で復号できないデータ形式であることを意味しており、このとき制御部３１は、ステップＳＰ６７に移り、転送するデータを、符号化部３７により端末で復号可能なデータ形式で符号化したうえでメモリカード２に書き込み、このデータ書込処理手順ＲＴ７を終了する。
【０１５２】
このようなデータ書込処理手順ＲＴ７にしたがい、データ記憶装置３の制御部３１は、装着されたメモリカード２にデータを書き込むようになされている。
【０１５３】
以上の構成において、この第４の実施の形態のデータ受け渡しシステム１では、複数の機能情報ファイルが書き込まれているメモリカード２がデータ記憶装置３に装着されると、このデータ記憶装置３が、これら複数の機能情報ファイルのうちの最新の機能情報ファイル以外の機能情報ファイルをメモリカード２から削除する。
【０１５４】
このように、このデータ受け渡しシステム１では、メモリカード２がデータ記憶装置３に装着される度に、データ記憶装置３側でメモリカード２に書き込まれている最新の機能情報ファイル以外の機能情報ファイルを削除するようにしたことにより、メモリカード２に上限数（例えば１０個）の機能情報ファイルが保持され続ける状況を回避して、端末側でメモリカード２に機能情報ファイルを上書きする回数を減らすことができる。
【０１５５】
実際上、機能情報ファイルの上書きは、元の機能情報ファイルを削除してから新たな機能情報ファイルを書き込まねばならず、単に機能情報ファイルを新規で書き込む場合と比して、処理負荷が大きい。また多くの場合、オーディオプレイヤ４及びビデオプレイヤ５などの端末は、データ記憶装置と比べて処理能力が劣る。よって、この第３の実施の形態のように、端末側での機能情報ファイルの上書き回数を減らして端末側での処理負荷を減らせば、結果として、システム全体の処理時間を低減させることができる。
【０１５６】
（５）第５の実施の形態
次に、本発明の第５の実施の形態を詳述する。この第５の実施の形態は、上述の第２の実施の形態とは異なるデータ書込処理を実行する実施例であり、このデータ書込処理以外の部分であるシステム構成、端末（オーディオプレイヤ４及びビデオプレイヤ５）の構成、データ記憶装置３の構成などは第２の実施の形態と同様とする。
【０１５７】
すなわちこの第５の実施の形態のデータ受け渡しシステム１では、メモリカード２に複数の機能情報ファイルが書き込まれている場合に、これら複数の機能情報ファイルの全てに共通するデータ形式でメモリカード２にデータを書き込むようになされている点が、これら複数の機能情報ファイルのうちの最新の機能情報ファイルに示されるデータ形式でメモリカード２にデータを書き込むようになされた第２の実施の形態と異なる点である。
【０１５８】
この第５の実施の形態では、説明の便宜上、図２０に示すように、まずメモリカード２がオーディオプレイヤ４ｃに装着され、その後、このメモリカード２がオーディオプレイヤ４ｄに装着された場合を例として説明する。
【０１５９】
ここで、これらオーディオプレイヤ４ｃ及び４ｄのそれぞれは、図２に示したオーディオプレイヤ４と同様の回路構成を有する端末であるとする。また、オーディオプレイヤ４ｃのオーディオ復号部１６で復号可能なデータ形式（オーディオコーデック）は、例えば、１２８ｋｂｐｓのＡＴＲＡＣＸと２５６ｋｂｐｓ及び１２８ｋｂｐｓのＭＰ３とであり、オーディオプレイヤ４ｄのオーディオ復号部１６で復号可能なデータ形式（オーディオコーデック）は、１２８ｋｂｐｓのＡＴＲＡＣＸのみであるとする。
【０１６０】
よって、これらオーディオプレイヤ４ｃ及び４ｄに装着されたメモリカード２には、オーディオプレイヤ４ｃで復号可能なデータ形式である１２８ｋｂｐｓのＡＴＲＡＣＸと２５６ｋｂｐｓ及び１２８ｋｂｐｓのＭＰ３とを示す機能情報ファイルと、オーディオプレイヤ４ｄで復号可能なデータ形式である１２８ｋｂｐｓのＡＴＲＡＣＸを示す機能情報ファイルとが書き込まれている状態となる。
【０１６１】
その後、このメモリカード２がデータ記憶装置３に装着されると、データ記憶装置３は、メモリカード２から全ての機能情報ファイルを読み出し、全ての機能情報ファイルで共通するデータ形式を選び出す。つまり、この場合、メモリカード２には、オーディオプレイヤ４ｃで復号可能なデータ形式である１２８ｋｂｐｓのＡＴＲＡＣＸと２５６ｋｂｐｓ及び１２８ｋｂｐｓのＭＰ３とを示す機能情報ファイルと、オーディオプレイヤ４ｄで復号可能なデータ形式である１２８ｋｂｐｓのＡＴＲＡＣＸを示す機能情報ファイルとが書き込まれているので、データ記憶装置３は、１２８ｋｂｐｓのＡＴＲＡＣＸを双方の機能情報ファイルで共通するデータ形式として選び出す。
【０１６２】
そして、データ記憶装置３は、この選び出したデータ形式で、ユーザに転送するよう選択されたデータをメモリカード２に書き込む。
【０１６３】
このようにして、この第５の実施の形態のデータ受け渡しシステム１では、データ記憶装置３が、装着されたメモリカード２に書き込まれている全ての機能情報ファイルに共通するデータ形式でメモリカード２にデータを書き込むようになされている。
【０１６４】
次に、図２１のフローチャートを用いて、データ記憶装置３によるメモリカード２へのデータ書込処理手順ＲＴ８について説明する。ちなみに、このデータ書込処理手順ＲＴ８は、データ記憶装置３の制御部３１が図示しない内蔵記憶部から読み出したプログラムにしたがって実行する処理手順である。
【０１６５】
データ記憶装置３の制御部３１は、起動後、このデータ書込処理手順ＲＴ８を開始して、ステップＳＰ７０に移る。ステップＳＰ７０において制御部３１は、メモリカード２が装着されるまで待ち受け、メモリカード２が装着されたことを認識すると、ステップＳＰ７１に移る。
【０１６６】
ステップＳＰ７１において制御部３１は、装着されたメモリカード２に機能情報ファイルが少なくとも１個以上書き込まれているか否かを判定する。このステップＳＰ７１で肯定結果を得ると、このとき制御部３１は、ステップＳＰ７２に移る。
【０１６７】
ステップＳＰ７２において制御部３１は、メモリコントローラ３３を介して、メモリカード２に書き込まれている全ての機能情報ファイルを読み出して、これら全ての機能情報ファイルで共通するデータ形式を選び出し、この選び出したデータ形式が、メモリカード２を介してデータを渡す相手となる端末で復号可能なデータ形式（オーディオコーデック）であると特定して、ステップＳＰ７４に移る。
【０１６８】
これに対して、上述のステップＳＰ７１で否定結果を得た場合、このとき制御部３１は、ステップＳＰ７３に移る。ステップＳＰ７３において制御部３１は、装着されたメモリカード２に既に書き込まれているデータを検索し、検索結果として得られたデータのデータ形式が、メモリカード２を介してデータを渡す相手となる端末で復号可能なデータ形式であると推定して、ステップＳＰ７４に移る。
【０１６９】
ステップＳＰ７４において制御部３１は、ユーザによりメモリカード２に転送するデータが選択されたことを認識すると、この転送するデータのデータ形式が、上述のステップＳＰ７２で特定したデータ形式またはステップＳＰ７３で推定したデータ形式と同じであるか否かを判定する。このステップＳＰ７４で肯定結果を得ると、このことは、メモリカード２に転送するデータのデータ形式が、メモリカード２を介してデータを渡す相手となる端末で復号可能なデータ形式であることを意味しており、このとき制御部３１は、ステップＳＰ７５に移り、転送するデータを、そのままのデータ形式でメモリカード２に書き込み、このデータ書込処理手順ＲＴ８を終了する。
【０１７０】
これに対して、上述のステップＳＰ７４で否定結果を得た場合、このことは、メモリカード２に転送するデータのデータ形式が、メモリカード２を介してデータを渡す相手となる端末で復号できないデータ形式であることを意味しており、このとき制御部３１は、ステップＳＰ７６に移り、転送するデータを、符号化部３７により端末で復号可能なデータ形式に変換したうえでメモリカード２に書き込み、このデータ書込処理手順ＲＴ８を終了する。
【０１７１】
このようなデータ書込処理手順ＲＴ８にしたがい、データ記憶装置３の制御部３１は、装着されたメモリカード２にデータを書き込むようになされている。
【０１７２】
以上の構成において、この第５の実施の形態のデータ受け渡しシステム１では、複数の機能情報ファイルが書き込まれているメモリカード２がデータ記憶装置３に装着されると、このデータ記憶装置３が、これら複数の機能情報ファイルの全てに共通するデータ形式でメモリカード２にデータを書き込む。
【０１７３】
こうすることで、このデータ受け渡しシステム１では、データ記憶装置３が、メモリカード２を装着したことのある全ての端末により復号可能なデータ形式で、メモリカード２にデータを書き込むことができるので、メモリカード２を介してデータを受け取る端末に対し、この端末で一段と確実に復号し得るデータ形式でデータを渡すことができる。
【０１７４】
（６）他の実施の形態
なお、上述した第２の実施の形態では、端末が、装着されたメモリカード２に既に書き込まれている機能情報ファイルの数に基づいて機能情報ファイルを新規で追加または上書きするようにした場合について述べたが、本発明はこれに限らず、端末が、装着されたメモリカード２の空き容量に基づいて機能情報ファイルを新規で追加または上書きするようにしてもよい。
【０１７５】
実際上、例えば、オーディオプレイヤ４は、メモリカード２が装着されると、メモリコントローラ１３を介してメモリカード２の空き容量を確認し、空き容量が所定値以上であれば新たな機能情報ファイルをメモリカード２に新規で書き込み、空き容量が所定値未満であればメモリカード２に既に書き込まれている機能情報ファイルのうちの最も古い機能情報ファイルに新たな機能情報ファイルを上書きする。これにより、オーディオプレイヤ４は、メモリカード２に対して確実に機能情報ファイルを書き込むことができる。
【０１７６】
また、上述の第３の実施の形態では、データ記憶装置３が、メモリカード２に書き込まれている機能情報ファイル毎の端末識別情報を表示して、この表示した端末識別情報をユーザに選択させることで間接的に機能情報ファイルを選択させるようにした場合について述べたが、本発明はこれに限らず、機能情報ファイル毎の記録日時を表示して、この表示した記録日時をユーザに選択させることで間接的に機能情報ファイルを選択させるようにしてもよい。
【０１７７】
実際上、メモリカード２に複数の機能情報ファイルが書き込まれているとすると、これら複数の機能情報ファイルは、それぞれが違う時刻に書き込まれたファイルなので、記録日時が異なる。よって、機能情報ファイル毎の記録日時を表示して選択させても、機能情報ファイルを間接的に選択させることができる。
【０１７８】
例えば、図２２に示すように、オーディオデータ転送画面Ｄｓの転送元／先リスト表示部Ｄｓ１に、オーディオデータの転送元となるデータ記憶装置３の名称「My Computer」と、オーディオデータの転送先となるメモリカード２に書き込まれている例えば３個の機能情報ファイルのそれぞれの記録日時とをリスト表示する。ちなみに、ここでは、ユーザに分かり易くするため、各記録日時にメモリカード２の名称「Memory Card」を付加して表示するようになされている。
【０１７９】
すなわち、転送元／先リスト表示部Ｄｓ１には、「My Computer」にくわえて、メモリカード２に書き込まれている機能情報ファイルの記録日時にメモリカード２の名称「Memory Card」を付加した情報「Memory Card 2005-01-06 18:22:17」、「Memory Card 2005-01-05 11:05:39」、及び「Memory Card 2005-01-03 08:30:45」がリスト表示される。
【０１８０】
これにより、メモリカード２に書き込まれている機能情報ファイルの履歴をユーザに認識させたうえで、ユーザに対して機能情報ファイルを選択させることができ、メモリカード２を介したデータ受け渡し時の利便性を一段と向上させることができる。
【０１８１】
また、これに限らず、例えば、図２３に示すように、転送元／先リスト表示部Ｄｓ１（これを主画面とする）に、「My Computer」にくわえて、メモリカード２に書き込まれている機能情報ファイルのうちの最新の機能情報ファイルの記録日時にメモリカード２の名称「Memory Card」を付加した情報「Memory Card 2005-01-06 18:22:17」のみを表示するようにして、過去の機能情報ファイルの記録日時にメモリカード２の名称「Memory Card」を付加した情報である「Memory Card 2005-01-05 11:05:39」及び「Memory Card 2005-01-03 08:30:45」については、この転送元／先リスト表示部Ｄｓ１内に設けた過去リスト表示ボタンＬＢが選択された場合にのみ表示される過去リスト表示部Ｄｓｘ（これを副画面とする）に表示するようにしてもよい。
【０１８２】
さらに、機能情報ファイルの記録日時を表示するばかりでなく、例えば図２４に示すように、機能情報ファイルの記録日時に機能情報ファイルに記されたニックネームを付加して表示するようにしてもよく、要は機能情報ファイル毎に異なる情報（つまり機能情報ファイルの識別情報）となるのであれば、機能情報ファイルの記録日時及び端末識別情報などを組み合わせた情報を表示して選択させるようにしてもよいし、データ形式そのものを表示して選択させるようにしてもよい。
【０１８３】
さらに上述の第５の実施の形態では、メモリカード２に複数の機能情報ファイルが書き込まれている場合に、これら複数の機能情報ファイルの全てに共通するデータ形式でメモリカード２にデータを書き込むようにした場合について述べたが、本発明はこれに限らず、例えば、全てに共通するデータ形式がなかった場合には、複数の機能情報ファイルに示される複数のデータ形式のうちの、最も多くの機能情報ファイルに示されているデータ形式でメモリカード２にデータを書き込むようにしてもよい。
【０１８４】
またこれに限らず、複数の機能情報ファイルに示される全てのデータ形式でメモリカード２にデータを書き込むようにしてもよい。この場合、メモリカード２には、例えば同一楽曲のオーディオデータが、複数の機能情報ファイルの全てのデータ形式で保存されるので、メモリカード２を介してこのオーディオデータを受け取る端末が、このオーディオデータを確実に復号することができる。
【０１８５】
さらに上述の第１乃至第４の実施の形態では、例えば図３に示したように、１つの機能情報ファイルに複数のデータ形式が示されている場合（つまりデータを渡す相手となる端末で復号可能なデータ形式が複数存在する場合）に、データ記憶装置３が、これら複数のデータ形式のうちの１つでデータを転送するようにした場合について述べたが、この場合に、例えば、これら複数のデータ形式のうちの最も圧縮率の低いデータ形式でデータを転送するようにしてもよいし、逆に最も圧縮率の高いデータ形式でデータを転送するようにしてもよく、またこれら複数のデータ形式のうちの１つをユーザに選択させるようにしてもよい。
【０１８６】
こうすることで、例えば、音質や画質を優先するユーザに対しては、複数のデータ形式のうちの最も圧縮率の低いデータ形式でデータを転送するようにし、逆にメモリカードに記憶するデータの数を優先するユーザに対しては、最も圧縮率の高いデータ形式でデータを転送するようにし得る。
【０１８７】
さらに上述の第１乃至第５の実施の形態では、機能情報ファイルがメモリカード２にのみ保存されるようにした場合について述べたが、本発明はこれに限らず、この機能情報ファイルをデータ記憶装置３に保存させるようにしてもよい。
【０１８８】
この場合、例えば、図６との同一部分に同一符号を付した図２５に示すように、データ記憶装置３に機能情報ファイルを記憶する機能情報メモリ１００を設け、このデータ記憶装置３にメモリカード２が装着された際に、データ記憶装置３が、メモリカード２から読み出した機能情報ファイルを、この機能情報メモリ１００に書き込むようにする。
【０１８９】
こうすることで、このデータ記憶装置３は、この機能情報メモリ１００に種々のメモリカード２から取得した複数の機能情報ファイルを蓄積することができる。そして、この機能情報メモリ１００に蓄積している機能情報ファイルのなかから、所望の機能情報ファイルをユーザに選択させるようにすれば、ユーザに対して機能情報ファイルを選択し得る自由度をより高くすることができる。また、このデータ記憶装置３は、機能情報ファイルが書き込まれていないメモリカード２が装着された場合でも、機能情報メモリ１００に蓄積している機能情報ファイルのなかから、所望の機能情報ファイルをユーザに選択させることもできる。
【０１９０】
また、この場合、データ記憶装置３が、メモリカード２に機能情報ファイルが書き込まれていない場合に推定したデータ形式を示す機能情報ファイルを生成して、この機能情報ファイルを、機能情報メモリ１００に書き込み蓄積するようにしてもよい。
【０１９１】
さらに上述の第１乃至第５の実施の形態では、データ記憶装置３が、メモリカード２に転送するデータのデータ形式が機能情報ファイルに示されるデータ形式でない場合に、転送するデータを、符号化部３７により機能情報ファイルに示されるデータ形式で再符号化したうえでメモリカード２に書き込むようした場合について述べたが、この再符号化したデータを、メモリカード２に書き込むだけでなく、データ記憶装置３のデータ記憶部３５に書き込むようにしてもよい。
【０１９２】
こうすることで、例えば、これ以降、このデータを同様のデータ形式でメモリカード２に書き込む場合に、データ記憶装置３は、このデータをわざわざ符号化し直すことなくデータ記憶装置３から読み出すだけでよく、結果としてデータ書き込み時の処理負荷及び処理時間を低減することができる。
【０１９３】
さらに上述の第１乃至第５の実施の形態では、データ記憶装置３が、データ記憶部３５に記憶しているデータを、メモリカード２に転送するようにした場合について述べたが、本発明はこれに限らず、データ記憶装置３が、図示しないインタフェースを介して外部から取得したデータを、メモリカード２に転送するようにしてもよい。
【０１９４】
さらに上述の第１乃至第５の実施の形態では、メモリカード２を介して、オーディオデータやビデオデータを受け渡す場合について述べたが、これらオーディオデータやビデオデータと共にプレイリストを受け渡すようにしてもよい。この場合、データ記憶装置３は、機能情報ファイルに示されたプレイリストのデータ形式（フォーマット）で、メモリカード２にプレイリストを書き込むようにすればよい。
【０１９５】
さらに、これらオーディオデータ、ビデオデータ及びプレイリストに限らず、プログラムデータなど、この他種々のデータをメモリカード２を介して受け渡すようにしてもよい。例えば、メモリカード２を介してプログラムデータを受け渡すシステムに本発明を適用する場合、メモリカード２を介してデータを受け取る側の端末が、自端末で復号可能（つまり実行可能）なプログラムデータのデータ形式を示す機能情報ファイルをメモリカード２に書き込むようにし、このメモリカード２が、メモリカード２を介してデータを渡す側の装置に装着されると、この装置が、メモリカード２に書き込まれている機能情報ファイルに示されるデータ形式でプログラムデータをメモリカード２に書き込むようにすればよい。
【０１９６】
さらに上述の第１乃至第５の実施の形態では、メモリカード２を介してデータを受け渡すデータ受け渡しシステム１に本発明を適用した場合について述べたが、本発明はこれに限らず、例えば、フロッピー（登録商標）ディスク、ＣＤ−Ｒ（Compact Disk Recordable）、ＤＶＤ−Ｒ（Digital Versatile Disk Recordable）など、この他種々の情報記憶媒体を介してデータを受け渡すシステムに適用してもよい。
【０１９７】
さらに上述の第１乃至第５の実施の形態では、機能情報ファイルの時刻部Ｘ３に記される日時を、機能情報ファイルの記録日時として扱うようにした場合について述べたが、本発明はこれに限らず、端末側のファイルシステムにより機能情報ファイル記録時に機能情報ファイルに付加されるファイル記録日時を、機能情報ファイルの記録日時として扱うようにしてもよい。
【０１９８】
さらに上述の第１乃至第５の実施の形態では、機能情報ファイルのフォーマットとしてＸＭＬ形式を用いるようにした場合について述べたが、本発明はこれに限らず、ＸＭＬ形式以外のフォーマットを用いるようにしてもよく、要は、端末とデータ記憶装置３の双方で理解し得るフォーマットであればよい。
【０１９９】
さらに上述の第１乃至第５の実施の形態においては、オーディオプレイヤ４（４ａ〜４ｄ）の制御部１１及びビデオプレイヤ５の制御部２１が、図示しない内蔵記憶部に予めインストールされているプログラムに従って、上述した各処理手順ＲＴ１、ＲＴ３、ＲＴ５を実行するようにした場合について述べたが、本発明はこれに限らず、これら各処理手順ＲＴ１、ＲＴ３、ＲＴ５を実行するためのプログラムを、例えば予めメモリカード２に書き込んでおき、このメモリカード２から内蔵記憶部にインストールするようにしてもよい。
【０２００】
さらに上述の第１乃至第５の実施の形態においては、データ記憶装置３の制御部３１が、図示しない内蔵記憶部に予めインストールされているプログラムに従って、上述した各処理手順ＲＴ２、ＲＴ４、ＲＴ６、ＲＴ７、ＲＴ８を実行するようにした場合について述べたが、本発明はこれに限らず、これら各処理手順ＲＴ２、ＲＴ４、ＲＴ６、ＲＴ７、ＲＴ８を実行するためのプログラムを、例えば予めメモリカード２に書き込んでおき、このメモリカード２から内蔵記憶部にインストールするようにしてもよい。
【０２０１】
さらに上述の第１乃至第５の形態では、情報記憶媒体に書き込まれたデータを読み出す端末、データ読出装置、コンピュータとしてのオーディオプレイヤ４（４ａ〜４ｄ）を、主として、第１の装着手段及び装着手段としての装着部１０と、第１の書込手段、書込手段及び第１の読出手段、読出手段としてのメモリコントローラ１３と、復号手段としてのオーディオ復号部１６と、第１の制御手段及び制御手段としての制御部１１と、検出手段としてのカード検出部１２とで構成するようにした場合について述べたが、本発明はこれに限らず、同様の機能を有するのであれば、この他種々の構成で、オーディオプレイヤ４（４ａ〜４ｄ）を構成するようにしてもよい。
【０２０２】
さらに上述の第１乃至第５の形態では、情報記憶媒体に書き込まれたデータを読み出す端末、データ読出装置、コンピュータとしてのビデオプレイヤ５を、主として、第１の装着手段及び装着手段としての装着部２０と、第１の書込手段、書込手段及び第１の読出手段、読出手段としてのメモリコントローラ２３と、復号手段としてのビデオ復号部２６と、第１の制御手段及び制御手段としての制御部２１と、検出手段としてのカード検出部２２とで構成するようにした場合について述べたが、本発明はこれに限らず、同様の機能を有するのであれば、この他種々の構成で、ビデオプレイヤ５を構成するようにしてもよい。
【０２０３】
さらに上述の第１乃至第５の形態では、情報記憶媒体にデータを書き込む情報処理装置、データ書込装置、コンピュータとしてのデータ記憶装置３を、主として、第２の装着手段及び装着手段としての装着部３０と、第２の書込手段、書込手段及び第２の読出手段、読出手段としてのメモリコントローラ３３と、第２の制御手段及び制御手段としての制御部３１と、符号化手段としての符号化部３７と、データ記憶手段としてのデータ記憶部３５と、機能情報記憶手段としての機能情報メモリ１００とで構成するようにした場合について述べたが、本発明はこれに限らず、同様の機能を有するのであれば、この他種々の構成で、データ記憶装置３を構成するようにしてもよい。
【産業上の利用可能性】
【０２０４】
本発明は、情報記憶媒体を介してデータの受け渡しを行うオーディオシステム、ビデオシステム、コンピュータシステムなどに利用することができる。
【図面の簡単な説明】
【０２０５】
【図１】データ受け渡しシステムの全体構成を示す略線図である。
【図２】オーディオプレイヤの機能ブロックを示すブロック図である。
【図３】オーディオプレイヤの機能情報の内容を示す略線図である。
【図４】ビデオプレイヤの機能ブロックを示すブロック図である。
【図５】ビデオプレイヤの機能情報の内容を示す略線図である。
【図６】データ記憶装置の機能ブロックを示すブロック図である。
【図７】オーディオデータ転送画面の構成（１）を示す略線図である。
【図８】オーディオデータ転送画面の構成（２）を示す略線図である。
【図９】オーディオデータ転送画面の構成（３）を示す略線図である。
【図１０】オーディオデータ転送画面の構成（４）を示す略線図である。
【図１１】第１の実施の形態による機能情報書込処理手順を示すフローチャートである。
【図１２】第１の実施の形態によるデータ書込処理手順を示すフローチャートである。
【図１３】第２の実施の形態による機能情報書込処理手順を示すフローチャートである。
【図１４】第２の実施の形態によるデータ書込処理手順を示すフローチャートである。
【図１５】第３の実施の形態によるメモリカードの装着例の説明に供する略線図である。
【図１６】第３の実施の形態によるオーディオデータ転送画面の構成を示す略線図である。
【図１７】第３の実施の形態による機能情報書込処理手順を示すフローチャートである。
【図１８】第３の実施の形態によるデータ書込処理手順を示すフローチャートである。
【図１９】第４の実施の形態によるデータ書込処理手順を示すフローチャートである。
【図２０】第５の実施の形態によるメモリカードの装着例の説明に供する略線図である。
【図２１】第５の実施の形態によるデータ書込処理手順を示すフローチャートである。
【図２２】他の実施の形態によるオーディオデータ転送画面の構成（１）を示す略線図である。
【図２３】他の実施の形態によるオーディオデータ転送画面の構成（２）を示す略線図である。
【図２４】他の実施の形態によるオーディオデータ転送画面の構成（３）を示す略線図である。
【図２５】他の実施の形態によるデータ記憶装置の機能ブロックを示すブロック図である。
【符号の説明】
【０２０６】
１……データ受け渡しシステム、２……メモリカード、３……データ記憶装置、４、４ａ、４ｂ、４ｃ、４ｄ……オーディオプレイヤ、５……ビデオプレイヤ、１０、２０、３０……装着部、１１、２１、３１……制御部、１２、２２、３２……カード検出部、１３、２３、３３……メモリコントローラ、１４、２４、１００……機能情報メモリ、１６……オーディオ復号部、２６……ビデオ復号部、３５……データ記憶部、３７……符号化部、Ｄｓ……オーディオ転送画面、Ｄｓ１……転送元／先リスト表示部、Ｄｓｘ……過去リスト表示部。
【図１】
2007334654.tif 000003
【図２】
2007334654.tif 000004
【図３】
2007334654.tif 000005
【図４】
2007334654.tif 000006
【図５】
2007334654.tif 000007
【図６】
2007334654.tif 000008
【図７】
2007334654.tif 000009
【図８】
2007334654.tif 000010
【図９】
2007334654.tif 000011
【図１０】
2007334654.tif 000012
【図１１】
2007334654.tif 000013
【図１２】
2007334654.tif 000014
【図１３】
2007334654.tif 000015
【図１４】
2007334654.tif 000016
【図１５】
2007334654.tif 000017
【図１６】
2007334654.tif 000018
【図１７】
2007334654.tif 000019
【図１８】
2007334654.tif 000020
【図１９】
2007334654.tif 000021
【図２０】
2007334654.tif 000022
【図２１】
2007334654.tif 000023
【図２２】
2007334654.tif 000024
【図２３】
2007334654.tif 000025
【図２４】
2007334654.tif 000026
【図２５】
2007334654.tif 000027